Podtech/llm-jp-corpus-v4-ja_patent huggingface dataset:
(57)【要約】【課題】  本発明は、熱中症対策として有効な、瞬間に冷却できるとともに、凍傷の危険性や長時間持続可能な冷却効果を有する熱中症対策用装置を提供することにある。【解決手段】  ガスとアルコールと水との混合成分を被噴射部材へ噴射する噴射機能を備え、当該被噴射部材を長時間冷却持続可能な熱中症予防品に変換させることを特徴とするものである。【選択図】  図１
2008295900.tif 000002
【特許請求の範囲】
【請求項１】
ガスとアルコールと水との混合成分を被噴射部材へ噴射する噴射機能を備え、当該被噴射部材を長時間冷却持続可能な熱中症予防品に変換させることを特徴とする熱中症対策用装置。
【請求項２】
被噴射部材に除菌効果を付与することを特徴とする請求項１記載の熱中症対策用装置。
【請求項３】
混合成分中に混成しない粒材を混入させたことを特徴とする請求項１又は２記載の熱中症対策用装置。
【発明の詳細な説明】
【技術分野】
【０００１】
本発明は、熱中症対策用装置に関するものである。
詳しくは、タオル等の所持品を瞬間冷却させて、長時間冷却持続可能な熱中症予防品に変換させる熱中症対策用装置に関するものである。
【背景技術】
【０００２】
地球の温暖化や都市部のヒートアイランド化などに伴い、熱中症対策（特に夏季）が急務になっている。
従来、熱中症対策に関する先行技術としては、以下のようなものがある。
特許文献１は、熱中症予防具としての見栄え、装着感を損なうことなく、夏場の暑い環境下でも、頭部温度が３５℃以下に長時間維持される熱中症予防具を提供するため、蓄熱材を内包するマイクロカプセル組成物を担持せしめることを特徴とする熱中症予防具である。
特許文献２は、暑さ対策省エネ対策熱中症予防対策患部を冷やす応急対策保温対策を容易にするため、タオルの中央部にポケットを取り付け、使用する時はポケットの中に、氷や保冷剤を入れることができ、このためタオルを折って首に掛けたり顔や患部を冷やすことができるものである。
【０００３】
一方、身体に対する冷却技術としては、以下のようなものがある。
（１）コールドスプレー
（２）ケイタイエアコン（シャツごと冷やす瞬間冷却スプレー）［登録商標］
（３）ＣＯＯＬ  ＢＡＮＤ（クールバンド）［商標］
（４）特許文献３「肌への制汗および冷感付与方法」
【０００４】
【特許文献１】特開２００７−３１８８５号公報
【特許文献２】実用新案登録第３１１７４３９号公報
【特許文献３】特開２００２−１１４６５９号公報
【発明の開示】
【発明が解決しようとする課題】
【０００５】
以上のような背景技術の下で、以下のような課題を有していた。
（１）熱中症対策に有効な冷却技術がない。
（２）瞬間に冷却できる技術はあるが、凍傷の危険性や長時間持続可能な冷却効果を得られない。
（３）前記「ＣＯＯＬ  ＢＡＮＤ（クールバンド）」については、冷やしたい箇所に噴射する泡を巻いて使用する冷却剤であるが、使用後ゴミとして処理する必要があり、商品使用者が使用後の処理に手間と時間が掛かること、また燃えるゴミとはいえ環境対策上の観点で問題が残る。
（４）前記特許文献３については、確かに冷感効果は得られるが、その持続時間が短く（同文献図１参照）、熱中症対策としては不十分である。
【課題を解決するための手段】
【０００６】
上記課題を解決するために、本発明の第１の発明は、ガスとアルコールと水との混合成分を被噴射部材へ噴射する噴射機能を備え、当該被噴射部材を長時間冷却持続可能な熱中症予防品に変換させることを特徴とする熱中症対策用装置である。
第２の発明は、被噴射部材に除菌効果を付与することを特徴とする熱中症対策用装置である。
第３の発明は、混合成分中に混成しない粒材（例えば、ビー玉サイズのものを１個又は複数個）を混入させたことを特徴とする熱中症対策用装置である。
【発明の効果】
【０００７】
本発明によれば、以下のような効果を有する。
（１）ガスで第１次冷却、アルコールで第２次冷却、水で第３次冷却することで、長時間冷却持続可能となる。
（２）所持品や身回品（ハンカチやタオル、帽子等）を簡単に熱中症予防品に変換できる。
（３）除菌による匂いを抑制できる。
（４）混成しない粒材を混入することによって、混合成分の撹拌効果を得られるとともに、本件装置を振った場合に小気味良い音響効果を得られる。
【発明を実施するための最良の形態】
【０００８】
本発明に係る熱中症対策用装置は、ＬＰＧ、水、エタノール、界面活性剤、増粘剤、防腐剤、クーリング剤（クーリングエージェント）、ｐＨ調整剤を成分とする。
これら混合成分を被噴射部材へ噴射し、当該被噴射部材を長時間冷却持続可能な熱中症予防品に変換させることを特徴とする。
被噴射部材は、タオルやハンカチなどの布類の他、所持品や身回品を対象にできる。
【実施例】
【０００９】
本発明に係る実施例は、前述の混合成分をエアゾールスプレーに充填したものである。
図１及び図２は、比較例を市販のコールドスプレーとして、本発明に係る実施例（れいこさん）と比較したものである。図１と図２の測定条件は、以下の通りである。
図１：室温２４．０℃，湿度３９％
図２：室温３７．５℃，湿度２９％
そして、図１及び図２上図は、被噴射部材を「タオル」とした場合のタオル表面温度の推移、図１及び図２下図は、同タオル中の温度の推移を示したグラフである。
【００１０】
図１及びず２に示すように、被噴射部材であるタオルは、実施例によれば瞬間的に冷却されるが、比較例のコールドスプレーに比べれば冷え過ぎず、凍傷の危険性は極めて少ない。
また、冷え過ぎないでいながら、比較例と比べて長時間持続可能な冷却効果も得られている。
これは、混合成分中のガス（ＬＰＧ）、アルコール、水の蒸発熱を巧みに利用することで、従来にない効果が得られたものである。なお、本実施例の混合成分及び含有量の一例を図３に示す。
【産業上の利用可能性】
【００１１】
本発明は、以下の用途がある。
（１）建設業界での熱中症対策用。
（２）高温な職場環境で働く人たちの熱中対策用。
（３）夏季のアウトドアの活動・スポーツ選手の熱中症対策用。
（４）運転中のいねむり防止、眠気予防用。
（５）受験生の眠気防止、オフィスワークのリフレッシュ用。
【図面の簡単な説明】
【００１２】
【図１】熱中症予防品に変換させたタオルの表面温度の測定結果を示すグラフ。
【図２】熱中症予防品に変換させたタオルの表面温度の測定結果を示すグラフ。
【図３】本実施例の混合成分及び含有量の一例。
【図１】
2008295900.tif 000003
【図２】
2008295900.tif 000004
【図３】
2008295900.tif 000005
(57)【要約】  【課題】  従来の木製バットの原材料となる木材は、アオダモ材、トネリコ材、ヤチダモ材、アッシュ材、ホオノキ材などであるが、育成期間が長期であるため供給の抑制が必要とされ、森林保護の面からも問題視されている。同時にアマチュア野球では折損が多く経済的に負担の大きい木製バットは敬遠され金属バットが主流となり、打撃技術の低下が懸念されているため、環境面への取り組みと経済性、技術力向上を目的とした木製バットを提供する。  【解決手段】  バットには不向きとされていたスギ、ヒノキなどを圧縮することで強度を向上させ、その圧縮材を積層・接着する際、柾目面を打球部面に配置させることにより反発力を高めることを要旨とする。  【選択図】  図２
2008295862.tif 000002
【特許請求の範囲】
【請求項１】
強度面で不向きとされてきた材質の木材や間伐材の圧縮木材を、柾目面を打球部側に配置し積層・接着することを特徴とする木製バット。
【発明の詳細な説明】
【技術分野】
【０００１】
この発明は、野球やソフトボール等に使用される木製バット及びその製造方法に関するものである。
【背景技術】
【０００２】
バットの打球部面を圧縮した物（例：特許文献１）や、アオダモ材、トネリコ材、ヤチダモ材、アッシュ材、ホオノキ材などを使用した合板バット（例：特許文献２）が提案されている。
【特許文献１】特開２００１−２４６０３２
【特許文献２】特開２００４−２０９１４６
【発明の開示】
【発明が解決しようとする課題】
【０００３】
従来の木製バットの原材料となる木材は、育成期間が長期であるため供給の抑制が必要とされている。同時に森林保護の面からも問題視されている。
【０００４】
３の要因により高価であるため、折損などの買換えによる経済面の負担を考慮し高校生以下では金属バットの利用が大半をしめる。
【０００５】
木製と比較し折損しにくい金属バットであるが、芯と呼ばれる反発力の高い打球部面が木製より広く技術革新による進化も早いため、打撃技術の低下が懸念されている。また、投手という身体技術を相手とする競技の性質から、道具であるバットは進化を抑制させる必要がある。
【課題を解決するための手段】
【０００６】
強度面で不向きとされてきた材質の木材や間伐材の圧縮木材を、柾目面を打球部側に配置し積層・接着することを特徴とする木製バット。
【発明の効果】
【０００７】
用途が少ないため放置され森林荒廃の要因となっているスギ、ヒノキなどの間伐材をバットに再生することにより、森林整備につながり環境保護に貢献することができる。従来原材料の供給も抑制できる。
【０００８】
放置や廃棄されていた間伐材は、育成期間が長期である従来の原材料より低額であり、かつ柾目を効率的に配置し積層・接着することで木材の利用体積を増加し廃棄箇所を削減できるため、森林資源の有効活用品として低価格で還元できる。
【０００９】
５の打球部面の芯の部分が金属バットより狭く、従来の原材料による木製バットと同等であるため、道具としての進化を抑制し、競技本来の性質を保つことができる。
【００１０】
打球部面の芯が狭いことにより、金属バットより高い打撃技術がが要求されるため、競技力の強化につながる。
【発明を実施するための最良の形態】
【００１１】
図１は、第１実施形態の木製バットを示す平面図である。木製バットａは丸棒状をなし、その基端部にはグリップ部ｂを備え、先端部にはグリップ部ａより大径の打球部ｃを備えている。打球部ｃは、先端に向かうほど大径となるテーパ状に形成されている。また、グリップ部ｂの端部は大径に形成されてグリップエンドｄを構成している。
【００１２】
図２は、第１実施形態の木製バットを示す切削前の角材の断面図である。ｅを打球部面とするため、圧縮された板材の柾目をｅ面に配置し接着する。ｆ面はマーク印刷面。ｇは接着面強化のため柾目を逆に配置し接着。
【００１３】
図３は、第２実施形態の木製バットを示す切削前の角材の断面図である。コストを下げるため、作業工程を削減した積層・接着形態である。
【００１４】
強度と反発力を向上させるため、柾目面を打球部面に配置する。
【００１５】
この木製バットａの原材料となる木材は、バットの原材料として従来から用いられているもの以外のスギ材、ヒノキ材などが好ましい。
【００１６】
なお、本発明における木製バットとは、仕上げの塗装で用いられる塗料と接着面の接着剤を除いて木材のみで構成され、合成樹脂等、木材以外のものを含んで構成されていないものをいう。
【産業上の利用可能性】
【００１７】
高校生以下の硬式野球および軟式野球全般には、木製バットに関する野球組織等の規定による認定制度が適用されないため、圧縮材を利用した木製バットの使用は認められている。よって７の森林保護といった環境面への取り組み、８の低価格化、９の競技本来の性質維持や１０の競技力向上などの可能性をもつ。
【図面の簡単な説明】
【００１８】
【図１】第１実施形態の木製バットを示す平面図。
【図２】接着面強化部を取り入れ積層・接着された切削前のバット加工用角材断面図。
【図３】コスト削減のため、接着面強化部を除き積層・接着された切削前のバット加工用角材断面図。
【符号の説明】
【００１９】
ａ：木製バット  ｂ：グリップ部  ｃ：打球部  ｄ：グリップエンド  ｅ：打球部
ｆ：マーク印刷面  ｇ：接着面強化部
【図１】
2008295862.tif 000003
【図２】
2008295862.tif 000004
【図３】
2008295862.tif 000005
(57)【要約】【課題】電動機負荷率が少ない電動機の余剰出力を他の負荷用出力に活用することにより、余剰出力の有効利用を図るようにした電動機余剰出力の有効利用方法を提供すること。【解決手段】電動機負荷１を駆動する電動機２にて同時に発電機３を駆動して発電するようにし、発電電力により蓄電設備６に充電するように構成するとともに、電動機入力を常時監視し、電動機負荷率に応じた余剰負荷に対応して蓄電設備６に充電し、この蓄電設備６より他の負荷７に電力を供給するようにする。【選択図】図１
2008295232.tif 000002
【特許請求の範囲】
【請求項１】
電動機負荷を駆動する電動機にて同時に発電機を駆動して発電するようにし、該発電電力により蓄電設備に充電するように構成するとともに、前記電動機入力を常時監視し、電動機負荷率に応じた余剰負荷に対応して蓄電設備に充電し、この蓄電設備より他の負荷に電力を供給するようにしたことを特徴とする電動機余剰出力の有効利用方法。
【発明の詳細な説明】
【技術分野】
【０００１】
本発明は、電動機余剰出力の有効利用方法に関し、特に、電動機負荷率が少ない電動機の余剰出力を他の負荷用出力に活用することで有効利用を図るようにした電動機余剰出力の有効利用方法に関するものである。
【背景技術】
【０００２】
従来、特に限定されるものではないが、例えば、下水処理に採用される汚泥掻寄機等においては汚泥掻寄機の負荷（機械負荷、例えば、０．１〜０．２ＫＷ）に対し、電動機出力を汚泥掻寄機負荷の数倍程度の出力（例えば、０．４〜０．７５ＫＷ）を要するものとして、即ち動力負荷率（負荷率５０％以下程度）として設計している。
これは予測もしない激しい降雨などにより多量の土砂や汚泥が流入して汚泥掻寄機に予想以上の過負荷が掛かった場合でも安定して電動機が駆動するように安全性を考慮して設計しているからである。
【０００３】
したがって、通常運転時においては、この電動機の余剰出力は一切利用されておらず、しかも動力負荷率が少ないと電動機力率・効率が低下し、動力負荷に対し無効電力が増加するが、電力供給は電動機の余剰出力分をも考量して行うため、配電設備も大型化して、かつランニングコストも大になるという問題があった。
【発明の開示】
【発明が解決しようとする課題】
【０００４】
本発明は、電動機余剰出力の有する問題点に鑑み、電動機負荷率が少ない電動機の余剰出力を他の負荷用出力に活用することにより、余剰出力の有効利用を図るようにした電動機余剰出力の有効利用方法を提供することを目的とする。
【課題を解決するための手段】
【０００５】
上記目的を達成するため、本発明の電動機余剰出力の有効利用方法は、電動機負荷を駆動する電動機にて同時に発電機を駆動して発電するようにし、該発電電力により蓄電設備に充電するように構成するとともに、前記電動機入力を常時監視し、電動機負荷率に応じた余剰負荷に対応して蓄電設備に充電し、この蓄電設備より他の負荷に電力を供給するようにしたことを特徴とする。
【発明の効果】
【０００６】
本発明の電動機余剰出力の有効利用方法によれば、電動機負荷率に応じた余剰負荷に対応して蓄電設備にて一旦充電し、この充電電力を利用して他の負荷用電力として供給できるので、従来無効電力として消費していた電力を有効に活用することができる。
【発明を実施するための最良の形態】
【０００７】
以下、本発明の電動機余剰出力の有効利用方法の実施の形態を、図面に基づいて説明する。
【実施例１】
【０００８】
図１に、本発明の電動機余剰出力の有効利用方法の一実施例を示す。
図において、１は電動機負荷（機械負荷）で、特に限定されるものではないが、例えば、下水処理に採用される汚泥掻寄機（以下、「汚泥掻寄機」という。）、２はこの汚泥掻寄機１を駆動するための電動機で、この電動機２には商用電力により所要の電力供給を行うようにするとともに、この電動機２にて前記汚泥掻寄機１と同時に発電機３をも駆動するようにする。
【０００９】
また、発電機３には充電負荷率制御器５を接続するとともに、充電負荷率制御器５に蓄電設備、例えば、蓄電器６を接続するようにする。そしてこの蓄電器６には汚泥掻寄機以外の負荷７、これは特に限定されるものではないが、例えば、照明器具や電気湯沸かし器等の電気機器を接続するようにする。
【００１０】
前記電動機２に電力供給を行う場合、この電動機入力を電動機入力検出器４にて常時監視するようにし、この電動機入力検出器４による電動機入力検出信号にて充電負荷率制御器５を制御するようにする。
【００１１】
次に、本発明の電動機余剰出力の有効利用方法の作用について説明する。
汚泥掻寄機１を電動機２にて駆動するとき、同時に発電機３も駆動されて発電する。この発電機３による発電量は、電動機余剰電力に対応したものとなるが、これは、電動機２に電力が供給される場合、常に電動機入力検出器４にて常に監視されており、これにより余剰電力に比例した出力を調整して蓄電器充電出力信号を充電負荷率制御器５に伝えられる。
【００１２】
この蓄電器充電出力信号により充電負荷率制御器５が制御され、蓄電器充電信号（電動機余剰電力信号）により蓄電器６に、即ち電動機負荷率に応じた余剰負荷に対応して蓄電器６に充電される。
したがって、動力負荷率が少ないと電動機力率・効率が低下し、動力負荷に対し無効電力が増加するが、このように動力負荷率（負荷率５０％以下程度）の少ない電動機を有効利用するために負荷率が上昇して力率・効率も上昇することにより無効電力が低下するものとなる。
【００１３】
このように、電動機入力を常時監視することで電動機負荷率が低下すると蓄電器への負荷率制御器の出力を上昇させ、蓄電器への充電が早くなり、また反対に電動機負荷率が上昇すると蓄電器への負荷率制御器の出力を低下し、蓄電器への充電を遅くする。即ち、電動機負荷率に応じ余剰負荷に対応した充電ができるものとなり、この蓄電器への充電電力を、例えば、照明器具や電気湯沸かし器用の電力として活用することで、電動機の余剰電力の有効利用ができるものとなる。
【００１４】
以上、本発明の電動機余剰出力の有効利用方法について、実施例に基づいて説明したが、本発明は上記実施例に記載した構成に限定されるものではなく、その趣旨を逸脱しない範囲において適宜その構成を変更することができるものである。
【産業上の利用可能性】
【００１５】
本発明の電動機余剰出力の有効利用方法は、電動機負荷率に応じた余剰負荷に対応して蓄電設備にて一旦充電し、この充電電力を利用して他の負荷用電力として供給するという特性を有していることから、下水処理設備の用途に好適に用いることができる。
【図面の簡単な説明】
【００１６】
【図１】本発明の電動機余剰出力の有効利用方法の一実施例を示すフロー図である。
【符号の説明】
【００１７】
１  電動機負荷
２  電動機
３  発電機
４  電動機入力検出器
５  充電負荷率制御器
６  蓄電器（蓄電設備）
７  汚泥掻寄機以外の負荷
【図１】
2008295232.tif 000003
(57)【要約】   【課題】      化粧や髪の手入れと洗顔時の髪留めという異なった目的を、一枚で兼用できる化粧  用ヘアーケープを提供する。  【解決手段】    ケープ本体１の両脇に適数箇所にスリット３を設けていて、その片方の上部にゴム環４を設け、下部開口部６を頭上に持ち上げ、ゴム環４に通すことでヘアーキャップとしても、使用できるようにする。  【選択図】    図２
2008295618.tif 000002
【特許請求の範囲】
【請求項１】
スカート状で頭部を通す上部開口部に伸縮自在ゴムを設け、下部開口部から縦方向に適数箇所のスリットを設け、このスリットの開き止まりに伸縮自在ゴム環を設けたことを特徴とする化粧用ヘアーケープ。
【請求項２】
上部開口部を額に装着し、下部開口部を頭上に持ち上げて、この下部開口部分をスリット部の伸縮自在ゴム環に通し、絞り込むことによりヘアーキャップとしても使用できるようにしたことを特徴とする請求項１に記載の化粧用ヘアーケープ。        
【発明の詳細な説明】
【技術分野】
【０００１】
本発明は、化粧や髪の手入れ時に必要であるヘアーケープにスリットを設け、そこに伸縮自在のゴム環を設けて、ケープの下部開口部を通し絞り込み留めることでヘアーキャップとしても活用できるようにしたものである。
【背景技術】
【０００２】
従来は、例えば特許文献１に示すように其々用途別になっており、ケープとキャップがワンタッチで兼用でき、多目的に使用できるものがなかった。
【０００３】
【特許文献１】特開２００４−２７０１３０号公報
【発明の開示】
【発明が解決しようとする課題】
【０００４】
化粧や髪の手入れをする時や、洗顔をする時に、用途別に取り替える必要があったが、本発明は其々の二枚分の機能を一枚で解消するためになされたものである。
【課題を解決するための手段】
【０００５】
ケープ本体１の両脇にスリット３を設け、片方のスリット上部開き止まりに伸縮自在ゴム環４を設け、下部開口部６を頭上に持ち上げ伸縮自在ゴム環４に通し絞り込むことによってヘアーバンド式の部分留めと違い、髪全体を収納し洗顔時の髪ダレを解決した。        
【発明の効果】
【０００６】
化粧や髪の手入れと、洗顔と用途は異なっても、本発明は、一枚で二枚分の機能を持つため、便利、且つ経済的である。使用素材に撥水加工を用いて防水性を高めシャワーキャップとして、また、染毛時にもケープとして使用後、染毛剤の浸透促進の保温キャップとして使用できる。さらに、吸水性のあるパイル地を使用すれば、シャンプー後のタオルドライにも対応できる。
【発明を実施するための最良の形態】
【０００７】
本発明の化粧用ヘアーケープの構成及び作用を図面に基づいて説明する。
なお、図１は、ケープの全体図、図２から図４は使用状態を其々表す。
ケープ本体１は、両肩を覆うことができる大きさからなり、両脇にスリット３を設けて動きやすくし、その片方にゴム環４を設けることにより、ヘアーキャップとしても使用できる。
【０００８】
上部開口部２に伸縮自在のゴム紐５が縫着されており、伸張時には頭部が通過することができる大きさで形成されている。
【０００９】
次に、本発明のケープ使用方法を図２から図４に基づいて説明する。
【００１０】
図２は、ケープ本体１を化粧やヘアー手入れに使用する状態を示す。ケープ本体１の上部開口部２から頭部を挿入し、首部分で保持する。
【００１１】
図３はケープ本体１をヘアーキャップに変化させる状態を表す。まず、ケープ本体１の上部開口部２を髪の生え際まで移行させて保持固定する。
【００１２】
図４は、下部開口部６をスリット３の伸縮自在ゴム環４に通し保持固定し、ヘアーキャップとして兼用した状態を表す。
【００１３】
一枚のケープから、スリットの伸縮自在ゴム環に下部開口部を通すことにより、ワンタッチでヘアーキャプに兼用することができる。
【００１４】
ケープ本体１を撥水加工素材で形成すれば、シャワーキャップとして、また、染毛時にも、染毛剤の浸透促進の保温キャップとしても使用でき、パイル地等の吸水性素材で形成すれば、シャンプー後のタオルドライにも対応できるものである。
【図面の簡単な説明】
【００１５】
【図１】本発明の化粧用ヘアーケープの正面図である。
【図２】本発明の化粧用ヘアーケープの使用状態を示す側面図である。
【図３】同化粧用ヘアーケープをヘアーキャップとして使用途中を示す図である。
【図４】同ヘアーキャップの使用時を示す図である。
【符号の説明】
【００１６】
１ケープ本体
２上部開口部
３スリット
４伸縮自在ゴム環
５上部開口部伸縮自在ゴム
６下部開口部
【図１】
2008295618.tif 000003
【図２】
2008295618.tif 000004
【図３】
2008295618.tif 000005
【図４】
2008295618.tif 000006
(57)【要約】【課題】  簡便で安全な方法にて水素含有還元性飲料を提供する。【解決手段】  液体飲料を容器に充填後、容器の空隙に０．１％以上の液体水素体積濃度がある混合ガス液体を滴下し、残留空気を置換する。混合ガス液体中の液体水素が気化し、水素分圧が無きに等しい液体飲料に溶け込み還元性を持った液体飲料となる。【特許請求の範囲】
【請求項１】
飲料容器に飲料を充填した際、少なくとも体積濃度において０．１％以上、５０％以下の液体水素を含む不活性ガス液体を注入することにより容器の空隙を置換することによる水素含有液体飲料を製造する製造方法。
【請求項２】
前記混合ガス液体は、液体水素と液体窒素又は／及び不活性ガス液体とを主成分とする請求項１記載の水素含有液体飲料の製造方法。
【請求項３】
前記混合ガス液体の液体水素濃度が体積濃度で０．１％〜５％であることを特徴とする請求項１ないし２記載の水素含有液体飲料の製造方法。
【請求項４】
前記混合ガス液体の液体水素濃度が体積濃度で１％〜５％であることを特徴とする請求項１ないし２及び３記載の水素含有液体飲料の製造方法。
【発明の詳細な説明】
【技術分野】
【０００１】  本発明は、容器に充填した液体飲料を水素含有液体飲料にする簡便なる方法である。本発明をより詳細にいうと水素含有液体飲料を製造する際に、より経済的に、より安全に飲料用液体に水素を含有する方法である。
【背景技術】
【０００２】  従来、容器に導入された液体の品質の変化、容器の形状変化、液漏れ等の異常を防止する手段として、特開平６−２８６７２６号、特開平１０−２１８２８８号の公開技術のように、液体を収容した容器内に液体窒素を滴下して気化させることで容器内の空隙を窒素ガスで置換し、開口部を密封する方法があった。
【特許文献１】  特開平６−２８６７２６号広報
【特許文献２】  特開平１０−２１８２８８号広報
【０００３】  背景技術に示した技術では、容器内の空気を窒素と置換し、酸素による液体飲料の品質変化防止を目的としている。具体的には、液体窒素を滴下し容器内の空気を窒素置換しながら熱滅菌処理後の冷却時に液体の体積縮小による陰圧で容器が凹むことを防止している。またその直後に容器の空隙に窒素ガスを吹き付けた後に容器を密封する方法を採用している。これはさらに空気中の酸素を追い出したいとの考え方によるものである。【０００４】  これはいずれも容器内の残存酸素量を極力減らし、飲料物における酸化の促進を抑えようとの考え方によるものであった。
【発明の開示】
【発明が解決しようとする課題】
【０００５】  本願発明は、従来の飲料用液体充填容器内の残存酸素量を極力減らし、容器内の飲料用液体の酸化促進を極力抑えようとの考え方に比べ、水素ガスの還元力を利用し、還元物を提供するという、さらに進んだ考え方により、飲料用液体そのものを還元性の液体に変える方法を目的とする。
【課題を解決するための手段】
【０００６】  本発明者は、上記課題に着目し、飲料物を容器に充填した際に出来る容器の空隙に液体窒素を滴下することにより酸化防止を行うとの考え方をさらに一歩進め、液体水素を含んだ混合ガス液体を滴下することにより、還元性を持った液体飲料を提供するという考え方にまで進化させ、上記課題を克服する方法を発明した。【０００７】  具体的には、本願発明は、従来から容器内の空気を液体窒素を滴下することにて置換する方法があるが、体積濃度において０．１％以上の液体水素を含む混合ガス液体を滴下することで置換する方法により飲料用液体を還元性のある飲料用液体にすることができる。【０００８】  さらに詳細なる説明をすると、飲料用液体を容器に充填した後、体積濃度において０．１％以上の液体水素を含む混合ガス液体で容器内の空隙を置換することにより、水素を含んでいない飲料用液体が、閉栓の後に混合ガス液体が気化し、上記空隙に空気と置換されている体積濃度０．１％以上の気化水素混合ガスから水素ガスが飲料用液体に溶け込み、水素分圧の平衡を保とうとし、還元性がある飲料用液体へと変化する。【０００９】  飲料用液体充填後に、容器内に滴下し空隙を置換する液体水素を含んだ混合ガス液体の液体水素体積濃度を０．１％以上としたのは、それ以下では閉栓後、気化した水素ガスが飲料用液体に溶け込むことが出来ず、また５０％以下としたのは大気中においての水素ガスの発火可能体積濃度が４％以上である為、５０％以上とすると、開栓をしたときに発火の可能性が高くなる為である。【００１０】  容器内の空隙を置換するために滴下する液体水素混合ガス液体の液体水素体積濃度は好ましくは、１％以上１０％以下であり、非常に好ましくは２％以上４％以下である。液体水素体積濃度を高くすることにより、液体飲料に水素が含有される水素濃度は高くなるが、高くすればするほど開栓時の発火の可能性が高くなる為、液体水素体積濃度を４％以下にした方がより安全である。
【本発明の効果】
【００１１】  水素が全く含まれていない液体飲料が、液体水素を含んだ混合ガス液体を飲料充填後に容器内の空隙に滴下することで、閉栓後、水素分圧の平衡を保とうとする作用により、水素ガスを含んだ還元性の液体飲料に変化をするということである。これにより安全で経済性に富んだ還元性液体飲料の製造方法が提供される。
【発明を実施するための最良の形態】
【００１２】  本願発明において用いられる容器については、金属缶、紙パック、ペットボトル等、容器から容易に気体が漏れ出さないものであれば良いが、アルミ缶が最良と考えられる。
容器内の空隙を置換する混合ガス液体の液体水素含有体積濃度は４％以下で４％に近く、４％以上にならない比率が良い。
混合ガス液体の液体水素以外のガス液体については、当然安全性の見地から不活性ガス液体から選択されるべきである。
(57)【要約】      （修正有）【課題】従来の栽培用骨材には天然にある多孔質の無機素材を、砕いたり、篩い分けたり、熱処理したりして単純に加工したもの、木炭を砕いたもの、廃棄ガラスを熔融して発泡させたもの、有孔セラミックス等があるが、原料の供給量が限られたり、製造設備にコストがかかるため製品は割高である。廃棄物を活用して生産コストを低くしながら、保水性や通気性等従来の栽培用骨材と類似の機能を持つ植物由来の粉末と土粉末を利用した栽培用骨材の製造方法を提供する。【解決手段】糠やおが粉等植物由来の粉末を土粉末と適当な比率で混ぜ、水等を適量加えて練って粘性物にした上で、次にこれを所要の大きさ、数、形状にし、その後、乾燥させて窯等で焼成させる。【選択図】なし【特許請求の範囲】
【請求項１】
植物由来の粉末と土粉末を混合し、水等を加えて粘性物にした上で、この粘性物を所要の大きさ、所要の数で所要の形状にして窯等で焼き固めることを特徴とする植物由来の粉末と土粉末を利用した栽培用骨材の製造方法。
【発明の詳細な説明】
【発明の詳細な説明】
【技術分野】
【０００１】  本発明は植物由来の粉末と土粉を利用した栽培用骨材の製造方法に関するものである。
【背景技術】
【０００２】  農業や園芸において、従来の栽培用骨材には天然の多孔質の無機素材を砕く、篩い分ける、加熱する等単純に加工したもの、ガラス屑を溶融して発泡させて砕いたもの、粘土を発泡させて焼いたもの、古紙をほぐして小さく硬化剤で固めたもの、木炭を砕いたもの、多数の微細な孔を有するセラミックスやプラスチック等がある。
【発明が解決しようとしている課題】
【０００３】これには以下の欠点があった。
骨材の原料の供給量が限られたり、原料が十分でも製造コストがかかり、安価、大量に生産できず、製品が割高となっている。
本発明は以上の欠点を解決するために、植物由来の粉末と土粉末を利用して従来の栽培用骨材の機能と類似の機能を持つ栽培用骨材の製造方法を提供することが目的である。
【課題を解決するための手段】
【０００４】  植物由来の粉末を適量の土粉末と混合して水等で練って粘性物にし、この粘性物を所要の大きさと所要の数で所要の形状にし、その後、乾燥させて窯等で焼き固める。以上の手段からなる植物由来の粉末と土粉末を利用した栽培用骨材の製造方法である。
【発明を実施するための最良の形態】
【０００５】  以下、本発明の実施の形態を米糠の粉末を利用した場合で説明する。
第一工程  適量の土を天日等でよく乾燥させ、そのあと砕いて粉末にする。
第二工程  第一工程でできた土粉末に、約半々に糠粉末を加えて熊手等でよく混ぜ合わし        て混合粉末を作る。
第二工程を置かずに第一工程で土に糠粉末を混ぜて一緒に砕いて混合粉末        を作ってもよく、混合比率も粉末の種類や質に応じて適宜に変えてよい。
第三工程  第二工程で出来た混合物に適量の水を加えて練機等で練り、粘性物にする。
第四工程  第三工程でできた粘性物を所要の大きさと所要の数で球や円筒等所要の形状に        する。
第五工程  第四工程でできた形成物を天日等でよく乾燥させる。
第六工程  第五工程でできた乾燥形成物を窯等で焼成させる。
以上が主な工程である
第六工程でできた焼成物は多数の微小孔を有し、栽培用骨材として必要な通気と保水の機能を持つ。第六工程の熱源の温度としては６００℃〜８００℃程度でも間に合う。
【発明の効果】
【０００６】  本発明では以下の効果がある。
イ、本発明で得られる骨材は栽培用骨材として十分な硬度があり、軽量で通気性，保水性に富む。
ロ、骨材の形状と大きさが多様に簡単に得られて植物の様々な根の形状や特性に対応できる。
ハ、骨材は軽石に似て軽量であるためベランダ菜園、屋上菜園、屋上緑化にも適する。
ニ、原料として糠やおが屑、工事残土や浚渫汚泥等が活用でき、製造時の熱源に廃棄物焼却炉の熱を使用すれば完全な産業廃棄物利用となる。
ホ、製造工程も簡単で設備コストが低く、廃棄物の再利用で安価、大量に栽培用骨材が供給できる。
ヘ、栄養水さえあればどこでも栽培用骨材として土代わりに活用できる。
ト、酸素を十分に供給した場合、焼成排ガスは植物由来の炭酸ガスが主なため無害であり、温暖化を進めない。
チ、骨材は煉瓦の一種であり植物の根が馴染み、栄養素や微生物を保持し、無害安全な栽培用骨材である。
リ、他の用途として形状次第でラン栽培用鉢、マルチ用材、壁用保温材等が考えられる。
ヌ、骨材に堆肥を混ぜて植え込む場合でも生の土よりも扱いやすく、栽培管理も容易である。
(57)【要約】【課題】食品として、安心かつ手軽に食することのできるキダチコミカンソウエキス粉末を提供する事。【解決手段】上記問題を解決するエキス粉末は、水３０％とエタノール７０％で抽出し、その溶媒を５０％まで濃縮し、最終工程にて１００度６時間の加熱を経て製造される。【選択図】図１
2008295442.tif 000002
【特許請求の範囲】
【請求項１】
キダチコミカンソウの葉１，０００Ｋｇを水８４０リットルとエタノール１，９６０リットルの合計２，８００リットルに懸濁して、常温で７２時間抽出して得た抽出液を８０度で５時間の加熱により、溶媒の５０％に濃縮する。濃縮したエキスに３３％のデキストリンを加えてスプレードライにより粉末を製造し、さらに製造された粉末を１００度６時間の加熱を経て成るキダチコミカンソウエキス粉末の製造法
【発明の詳細な説明】
【技術分野】
【０００１】この発明はキダチコミカンソウエキス粉末の製造法に関するものである。
【背景技術】
【０００２】従来より、キダチコミカンソウは葉を用いてのお茶への利用は知られているが、抽出した粉末加工品は知られていない。
【発明の開示】
【発明が解決しようとする課題】
【０００３】キダチコミカンソウ葉をエタノールで抽出し、エキス粉末を製造する際に食品として適合するアルコール数値に抑えることができなかった。
【課題を解決するための手段】
【０００４】本発明者等は上記問題に着目し、食品として適合するアルコール数値に抑えるために、鋭意研究を重ねた結果、濃縮率と加熱温度・加熱時間により、その解決を見出し、本発明を成すに至った。
【発明の効果】
【０００５】本発明の製造法により、キダチコミカンソウを食品として、安心かつ手軽に食することができる。
【発明を実施するための最良の形態】
【０００６】以下、本発明の構成について詳述する。本発明の製造法は、５０％の濃縮率と最終工程の１００度で６時間の加熱により残留アルコールを抑えることができるものである。
【産業上の利用可能性】
【０００７】健康食品の原料として供給が可能となる。
【図面の簡単な説明】
【図１】「製造法を示したフローチャートである。」
【図１】
2008295442.tif 000003
(57)【要約】【課題】枕カバーの一部を補足することで簡単に明かりや雑音が防げるような機能を持たせることができる枕および枕カバー、またその機能を持たせた携帯用枕を提供する。【解決手段】枕を入れる部分1に布2を補足し、就寝時に布2によって頭部をくるみ、目や耳の部分を覆い隠し、明かりや雑音を遮断する機能を持つ枕および枕カバー。【選択図】  図2
2008295485.tif 000002
【特許請求の範囲】
【請求項１】
枕カバーの一部を延長することや付け加えることで外部からの明かりや音を和らげる効果のある部分を補足したことを特徴とする安眠枕カバー。
【請求項２】
前記の補足部分のある安眠枕カバーを枕本体に装着した安眠枕
【請求項３】
前記の安眠枕をコンパクトにし、座った姿勢で装着できるようにした携帯型安眠枕。
【発明の詳細な説明】
【技術分野】
【０００１】
この発明は、寝具等に用いる枕とそのカバーの形状に関する
【背景技術】
【０００２】
従来の寝具等に用いる枕カバーは枕の汚れを防止することはできるが、
それ以上の実用的な利便性は特に無かった。
【発明の開示】
【発明が解決しようとする課題】
【０００３】
しかしながら、以上の技術によれば、周囲の明るさや雑音があると気になり快く安眠できない、
そのため明かりや雑音を防ぐためのアイマスクや耳栓などの別途補助具が必要となり、
煩わしく利便性に欠ける欠点があった。
そこで、この発明は、枕または枕カバーのみで明かりや不快な雑音を防ぎ、
快い睡眠を提供することを課題とする。
【課題を解決するための手段】
【０００４】
以上の課題を解決するために、第１発明は、アイマスクや耳栓などを使用しないで明かりや音を遮断できることを特徴とする枕カバーである。第２発明は第１発明の枕カバーの機能を擁した枕である。
第３発明は第２発明の機能をコンパクトにして携帯性を持たせた枕および枕カバーである。
【発明の効果】
【０００５】
請求項１および請求項２によれば、明け方や日中に睡眠しなければならない時や他の家人による部屋の
明かりや物音で睡眠を妨げられる時に、目や耳を圧迫するアイマスクや耳栓などの補助具がなくとも明りや雑音を遮断し安心して眠りに就き、睡眠を維持することができる。
また枕カバーのみの使用することもでき、内部の枕本体を自分の使い慣れたものに入れ換え使用することができるので、枕が替わって寝にくいということも防げる。
また、枕カバーは取り外して定期的に洗浄することにより清潔さを保つことができる。
また請求項3によれば、車中や機内で外部からの明かりや雑音に妨げられることなく、
また他人を気にすることなく眠りに就くことができる。またコンパクトに畳めることができるので持ち運びに便利である。
【発明を実施するための最良の形態】
【０００６】
この発明の請求項１および請求項２の実施形態を図１に示す。
枕カバーの本体１は袋状の布製であり、周辺には、帯状の布２が一体的に設けられている。
この本体１には内部の枕本体を出し入れするファスナー３が設けられている
また携帯性を持たせるために請求項3の実施形態を図4に示す。4-１は頭部および頚部を支えるクッション部であり、場所により最適な厚みがある。ウレタンフォームや低反発フォームを布でくるんだものからなる。布4-2で頭部を巻き、眼部、耳部を覆いマジックテープ（登録商標）4-3で留め、ずれ落ちることを防止する。また図５のクッション部裏側に付いた5-1の滑り止めで頭が上下左右に振れるのを防止する。
【０００７】
（実施形態の効果）        
請求項1および請求項２の実施形態によれば、図2のように帯状の布２を就寝時に頭部をくるむようにし、耳や眼部を覆うことで不快な明かりや雑音を防ぐことができる。
また請求項3の実施形態によれば、4-1のクッション部に頭部を凭せかけ、布4-2で頭部をくるみ、
耳や眼部を覆い、4-3のマジックテープ（登録商標）で留めることにより、
座席に座ったままの姿勢で枕として機能し、周りの明かりや雑音を気にすることなく眠りに就くことができる。
【０００８】
（他の実施形態）
請求項1の図１の実施形態では、帯状の布２は両端に帯状に付帯しているが、
他の実施形態では、帯状の布２の幅を広くしたり、肌触りの良いタオル生地や伸縮性のあるもの、
通気性や遮光性の高いものを使用したり、図3のように頭部に密着するよう枕カバー本体１の上部に帯状の布2を付けたりしても良い。
また請求項2の図4の4-1のクッション部を頭部および頚部にフィットするような
形にしたり、マジックテープ（登録商標）などで取りはすしたりできるようにしても良い。
【産業上の利用可能性】
【０００９】
安眠枕は明け方や日中に睡眠しなければならない時や他の家人による部屋の明かりや物音で睡眠を妨げられる時に、目や耳を圧迫するアイマスクや耳栓などの補助具がなくとも明かりや雑音を遮断し安心して眠りに就き、睡眠を維持することができる。
また携帯型安眠枕は座った姿勢で使用できるので明るく騒がしい車内や機内で少しでも睡眠したい人には大変便利なものとなる。
【図面の簡単な説明】
【００１０】
【図１】請求項1および請求項２の実施形態を示す斜視図
【図２】請求項1および請求項２の使用時の形態を示す斜視図。
【図３】請求項1および請求項２の他の実施形態を示す斜視図。
【図４】請求項３の実施形態を示す正面図
【図５】請求項３の実施形態を示す裏面図
【符号の説明】
【００１１】
１  枕カバー本体
２  補足部分
３  枕取り出し口（ファスナー等）
4-1クッション部（ウレタンまたは低反発フォーム）
4-2耳、眼部覆い布
4-3マジックテープ（登録商標）
5-1滑り止め  
【図１】
2008295485.tif 000003
【図２】
2008295485.tif 000004
【図３】
2008295485.tif 000005
【図４】
2008295485.tif 000006
【図５】
2008295485.tif 000007
(57)【要約】【課題】歯肉色に近似した色調を有する義歯床を得る。【解決手段】義歯床に、白色でかつ審美性、耐食性に優れたロジウムメッキ層を形成せしめる。口内側を撥水性に優れた平滑状として審美性を確保しつつ、身体装着側を凹凸状として親水性化することで、唾液量の少ない高齢者でも義歯がはめやすく生体親和性を具備した義歯床となる。【選択図】なし【特許請求の範囲】
【請求項１】
金属基材の義歯床であって、少なくとも口内側の表面にロジウム層を形成せしめることを特徴とする審美性および生体親和性に優れた義歯床。
【請求項２】
義歯床の身体装着側に形成したロジウム層の表面を凹凸状として、義歯床の身体装着側を親水性化したことを特徴とする請求項１記載の審美性および生体親和性に優れた義歯床。
【発明の詳細な説明】
【技術分野】
【０００１】
本発明は審美性および生体親和性に優れた義歯床に関するものである。
【背景技術】
【０００２】
従来より、アクリル系樹脂製の有床義歯においては、赤色に着色したナイロン繊維をアクリル材料に混合することにより、薄いピンク色の透明なアクリル系樹脂中に前記赤色繊維を現わし、これにより歯肉色に近似した自然な感じの色調を表現したものが審美性に優れたものとして広く一般に使用されている。一方、熱可塑性樹脂を義歯床用材料として用いた有床義歯においても同様な方法で歯肉色に近似した色調を付与する傾向にあり、特開平６−４０８３９号公報が提案されている。これは、融点が３００℃以上であるアラミド又はポリイミド又はポリエーテルケトンからなるアラミド系繊維を赤色に着色し、かつ短寸に切断してポリカーボネート樹脂などの熱可塑性樹脂に混合したものである。
また、金属を基材とする義歯床が開発されており、その金属の中でも強度、生体為害性、生体親和性などを考慮して純チタンまたはチタン基合金が用いられている。
【特許文献１】特開平６−４０８３９号
【発明の開示】
【発明が解決しようとする課題】
【０００３】
チタンは、生体適合性には優れているが色彩が暗く、唾液等の接触により黒化してしまうという欠点があり、審美性（ここでいう審美性とは、生体歯肉色との釣り合いにおいて、不健康且つ不調和な美的感覚を与えない意）の観点から必ずしも患者側の要求を満足し得ないものであった。
即ち、薄い歯肉樹脂を透過して見える義歯床部が、純チタンまたはチタン基合金の金属肌のままである場合、いわゆる黒化現象を起こし審美性に劣ることになる。
【課題を解決するための手段】
【０００４】
上記問題を解決するため、本発明の審美性および生体親和性に優れた義歯床は以下のように構成している。すなわち、その第一構成は、金属基材の義歯床であって、少なくとも口内露出側にロジウム層を形成せしめることを特徴とする。
審美性に優れた義歯床としては、白色でかつ審美性、耐食性に優れたロジウムメッキは最適である。口内露出側とは、装着後の義歯を外部から観察可能な口内側である。
【０００５】
第二構成は、第一構成の義歯床の身体装着側に形成したロジウム層の表面を凹凸状として、義歯床の身体装着側を親水性化したことを特徴とする。
撥水性に優れた平滑表面のロジウム層を形成した場合は、特に唾液量の少ない高齢者には義歯をはめにくい場合がある。そこで、義歯床の口内側のロジウム層の表面を平滑状とし、身体装着側のロジウム層の表面を凹凸状として表面積を増やすことにより、義歯床の身体装着側を親水性化（無光沢面の凹凸によりぬれ性が向上）させて生体親和性を備えることになる。
【発明の効果】
【０００６】
義歯床の表面に、白色でかつ審美性、耐食性に優れたロジウムメッキ層を形成することで優れた審美性を付与できる。また、義歯床の口内側のロジウム層の表面を平滑状とし、身体装着側のロジウム層の表面を凹凸状として親水性化することで、唾液量の少ない高齢者でも義歯がはめやすくなり生体親和性を向上させることが可能となる。
【発明を実施するための最良の形態】
【０００７】
以下、本発明の義歯床を実施例により更に具体的に説明する。
【実施例】
【０００８】
［実施例１］
純度９９％以上（ＪＩＳ−Ｈ４６００−ＴＰ３５）の純チタン板を基材とした義歯床を作成した。この義歯床を十分に研磨、脱脂した後、イオンプレーティング装置［昭和真空（株）製ＳＨＰ４００Ｔ］内にセットし、義歯床の表面にロジウム層（メッキ層）を形成した。義歯床の口内側のロジウム層の表面は平滑状とし、身体装着側のロジウム層の表面は凹凸状とした。
実施例１の義歯床を身体装着した状態で、太陽光下、蛍光灯下、白熱灯下において、肉眼およびフラッシュ有りまたは無しで写真撮影を行った。義歯床の歯肉は、いずれの光源下でも生体歯肉と色差、透明感において、生体歯肉との違和感がなく審美性に優れていた。また、実施例１の義歯床は、口内側のロジウム層の表面を平滑状とし、身体装着側のロジウム層の表面を凹凸状（梨地状）の半光沢仕上がりとして親水性化したことで、高齢者による身体装着においても、唾液量が少ないにもかかわらずはめやすいという回答が得られた。
【０００９】
［実施例２］
コバルト・クロム合金で作られた義歯床の表面を充分に研磨し、更にその合金表面から化学的に不導体膜を除去し、活性化し、直ちに、金ストライクめっきを施工し、引き続きロジウム層を２ミクロン厚で形成した。
ロジウム層（メッキ層）の形成工程では、身体装着側が凹凸状（梨地状）の半光沢仕上がりとなり、口内側が平滑光沢面となるように、内外夫々の印加電圧と電流密度の調節を行った。
実施例２の義歯床についても実施例１と同様に身体装着した状態で写真撮影を行った結果、実施例１と同様に審美性に優れていた。また、実施例２の義歯床においても、口内側のロジウム層の表面を平滑状とし、身体装着側のロジウム層の表面を凹凸状（梨地状）の半光沢仕上がりとして、装着時において充分な親水性を有する義歯床を得ることができた。
(57)【要約】【課題】洗濯物を干すとき、片手で洗濯物を挟めるピンチを提供する。【解決手段】洗濯物を挟む時と、外す時のバネの作用点が移動することで、ピンチの力点と作用点が挟む時と外す時に逆転する。このことを利用して、ピンチは挟む方か他の一方のどちらかが常に閉じているか、開いていることを特徴とした洗濯物干ピンチ。【選択図】図１
2008295986.tif 000002
【特許請求の範囲】
【請求項１】
ピンチ本体の支点の両端部にバネ支持駒を設け、該バネ支持駒にリング状バネを装着したことを特徴とする洗濯物干しピンチ。
【発明の詳細な説明】
【技術分野】
【０００１】本発明は、洗濯物干しを片手でできる、洗濯物干しピンチに関するものである。
【背景技術】
【０００２】  従来の洗濯物干しピンチは、挟むときバネは作用点が閉じていて、使用するときは力点を片手親指と人差指で挟み作用点を開いて、一方の手で洗濯物を作用点に入れて力点を離すという動作で使用するものであった。
【発明の開示】
【発明が解決しようとする課題】
【０００３】そのために、次のような問題があった。
（イ）手が不自由な方には、片手のみで洗濯ものを挟むことは、困難であった。
（ロ）洗濯物を取り込むときにも、片手では困難があった。
【問題を解決するための手段】
【０００４】ピンチ本体の支点の両端部にバネ支持駒を設け、その支持駒にリング状バネを装着する。このリング状バネで挟持部とつまみ部の開閉が逆転することを特徴とした洗濯物干しピンチ。
【発明の効果】
【０００５】（イ）洗濯物を片手で掴み、開いているピンチに洗濯物を差し込み、親指と人差指で開いているピンチを閉じれば、洗濯物はピンチに挟まれる。片手で洗濯物を干すことができる。
（ロ）洗濯物を取り込む時は、洗濯物を掴み親指と人差指で開いているピンチを閉じれば、片手でできる。
【発明を実施するための最良の形態】
【０００６】以下、本発明の実施の形態について説明する。
（イ）ピンチ本体（６）の支点（３）の両端部にバネ支持駒（４）を設ける。
（ロ）リング状バネ（５）をバネ支持駒（４）に装着する。
本発明は以上の構成で、これを使用するときは、ピンチの挟持部（１）が開いている状態しておき、洗濯物を掴みピンチの挟持部（１）に入れて、親指と人差指でピンチを閉じれば、洗濯物はピンチに挟まれる。また、洗濯物を外すときは、洗濯物を掴みピンチのつまみ部（２）を親指と人差指で閉じれば洗濯物は外せる。洗濯物干し作業を片手でできることを特徴とした洗濯物干しピンチ。
【図面の簡単な説明】
【０００７】
【図１】洗濯物干ピンチの斜視図である。
【図２】洗濯物干ピンチの断面図である。
【図３】洗濯物干ピンチの稼働時の側面図である。
【図４】洗濯物干ピンチの非稼動時の側面図である。
【図５】洗濯物干ピンチの稼動時の正面図である。
【図６】洗濯物干ピンチの非稼動時の正面図である。
【図７】洗濯物干ピンの分解斜視図である。
【符号の説明】
【０００８】  １  挟持部
２  つまみ部
３  支点
４  バネ支持駒
５  リング状バネ
６  ピンチ本体
【図１】
2008295986.tif 000003
【図２】
2008295986.tif 000004
【図３】
2008295986.tif 000005
【図４】
2008295986.tif 000006
【図５】
2008295986.tif 000007
【図６】
2008295986.tif 000008
【図７】
2008295986.tif 000009